(57)【特許請求の範囲】
【請求項１】
ハンマーが球を直線的に打出すようにした遊技球発射装置において、
前記遊技球発射装置は、前記ハンマーを有する電磁ソレノイドが固定されるマウントベースと、
前記マウントベースが取付けられ、当該マウントベースよりも後方に調整操作収納部を有する装置ベースと、
発射レール上の球と前記ハンマーとの発射開始距離を前後方向に調整する調整機構とを備え、
前記調整機構が、軸心方向に延長する複数の長孔を有し、前記マウントベースに形成される一対のガイド孔に挿入されるガイドレールと、
前記一対のガイド孔の間において、一端部が前記ガイド孔の周壁と当接した状態で前記ガイドレールに装着される前後のダンパーと、
前記ガイドレールの後端部に形成される雄ねじ部と、
前記調整操作収納部内に軸心と平行な方向に移動規制された状態で挿入され、前記雄ねじ部に対して回転可能に嵌め込まれる調整操作体とを備え、
前記調整操作体の回転により、前記マウントベースが前記装置ベースに対してガイドレールに設けられた長孔の範囲で前後方向に移動することを特徴とする遊技球発射装置。
【発明の詳細な説明】
【０００１】
【発明の属する技術分野】
本発明は、パチンコ機において、電気的な駆動源で球を直線的に打出す装置に関する。
【０００２】
【従来の技術】
図８は特開平１１−４９３８号公報で開示された遊技球発射装置であって、モータ１０１で回転されるカム１０２がハンマー１０３のカムフォロア１０４を拘束したまま移動することによりハンマー１０３が後退回転すると共にばね１０５がばね力を蓄えた後、カムフォロア１０４がカム１０２から解放されることによりばね１０５のばね力でハンマー１０３を前進回転して球を打出す回転式になっている一方、ハンマー１０３とカムフォロア１０４との挟角θを人為操作で変化させると、ばね１０５が蓄えるばね力が変わることで、ハンマー１０３の球１０６を打出す発射力を調整するようにもなっている。
【０００３】
【発明が解決しようとする課題】
しかし、前記従来例は発射力を強くする場合、挟角θを大きくすることから、ハンマー１０３の後退回転でばね１０５で蓄えられるばね力が強くなるため、モータ１０１の負荷が大きくなって耐久性に欠けるうえ、発射動作の繰返しによるばね１０５の負荷も大きくなって耐久性に欠けるという問題点がある。
【０００４】
そこで、本発明は、アクチュエータの負荷不変を図りつつ発射力を調整することができる遊技球発射装置を提供するものである。
【０００５】
【課題を解決するための手段】
本発明にあっては発射レール上の球とそれを直線的に打出すハンマーとの発射開始距離を調整する調整機構を備えたので、球とハンマーとの間の発射開始距離を前後方向に調整することにより、遊技球発射装置を構成する構成部品相互の個体誤差による発射開始距離のばらつきを解消することができ、ハンマーの後退を促すばねの伸縮距離を不変にできるため、アクチュエータの負荷を不変とする発射開始距離の調整により発射力を調整することができ、アクチュエータやばねの耐久性を向上することができる。
【０００６】
【発明の実施の形態】
図１及び図２は第１実施形態であって、図１は遊技球発射装置における要部の正面を示し、図２は遊技球発射装置を分解して示す。
【０００７】
図１を参照し、遊技球発射装置について説明する。遊技球発射装置では電磁ソレノイド１を固定したマウントベース２が装置ベース３に前後方向（球発射方向）に移動可能に取付けられ、マウントベース２を前後方向に案内するガイドレール４に雌ねじと雄ねじとよりなるねじ嵌合下で装着された調整操作体３３が人為操作されると、装置ベース３に対するガイドレール４の取付位置が変わり、それに伴い、マウントベース２と電磁ソレノイド１及び電磁ソレノイド１に固定されたハンマー５が前方又は後方に移動し、発射レール６と球受止部７とで受止められている球９とハンマー５との間の発射開始距離Ｌが調整されるようになっている。
【０００８】
図２を参照し、遊技球発射装置における構成部品について説明する。装置ベース３は発射レール取付部１１、球受止部７、マウント収納部１２、前後一対のガイドレール取付部１４、調整操作収納部１５、ガイド取付部１６、装置ベース３を相手側部品である図外の遊技機枠に取付けるため取付孔１７等を備える。ガイド取付部１６にはガイド溝１８を有するロールガイド１９が止ねじ２０で固定される。発射レール取付部１１には発射レール６が止ねじ２１で固定される。マウントベース２はソレノイド取付部２２、前後一対のガイド孔２３、スライダ取付部２４、ダンパー受部２５等を備える。ソレノイド取付部２２には電磁ソレノイド１が図外の止ねじで固定される。スライダ取付部２４にはロールスライダ２６が止ねじ２７で取付けられる。ガイドレール４は前後一対の長孔２８、一端部に形成された雄ねじ部２９を備える。ガイドレール４には前後方向中間部に止輪３０が装着され、両端部より下部前側ダンパー３１及び下部後側ダンパー３２が装着される。
【０００９】
ガイドレール４の下部前側ダンパー３１より突出する一端部がマウントベース２の前側のガイド孔２３に後側より挿入され、ガイドレール４の下部後側ダンパー３２より突出する他端部がマウントベース２の後側のガイド孔２３に前側より挿入される。マウントベース２より後側に突出したガイドレール４の雄ねじ部２９には調整操作体３３のねじ孔（貫通孔の孔壁に雌ねじが形成された形態）が嵌め込まれることで、雄ねじ部２９には調整操作体３３がガイドレール４の軸心と平行な方向に移動可能に装着される。電磁ソレノイド１及びガイドレール４等が組付けられたマウントベース２が装置ベース３のマウント収納部１２に配置され、円盤状の調整操作体３３が調整操作収納部１５に周方向に回転操作可能にかつ軸心と平行な方向に移動規制された状態で挿入され、ロールスライダ２６がロールガイド１９のガイド溝１８に嵌め込まれ、ロールガイド１９とダンパー受部２５とに上部ダンパー３４が挟み込まれ、止ねじ３５がガイドレール４の前後一対の長孔２８より装置ベース３における前後一対のガイドレール取付部１４に個別に締結される。このような図２の構成部品の組合せによって、図１に示すように遊技球発射装置が組立てられる。調整操作収納部１５と雄ねじ部２９及び調整操作体３３が調整機構を形成する。
【００１０】
第１実施形態の構造によれば、図１において、電磁ソレノイド１への電力の供給が遮断され、電磁ソレノイド１のプランジャ３６がばね３７のばね力で後退し、電磁ソレノイド１の衝撃吸収体３８がヨーク３９に接触し、下部前側ダンパー３１と下部後側ダンパー３２及び上部ダンパー３４それぞれのばね力が平衡し、電磁ソレノイド１の先端に取付けられたハンマー５が後退位置に停止している場合において、遊技球発射装置に供給された球９は発射レール６の傾斜で発射レール６をハンマー５の方向に流下し発射レール６と球受止部７とで挟まるようにして停止する。
【００１１】
そして、図１の発射レール６と球受止部７とで受止められた球９と後退位置に停止したハンマー５との間の発射開始距離Ｌは図２における構成部品相互の固体誤差により微妙にばらつき、発射開始距離Ｌがばらつくと、ハンマー５が球９を打出す発射力が変化する。具体的には、電磁ソレノイド１が供給電力により形成された磁力でプランジャ３６を前方に急激に吸引し、プランジャ３６の前進に伴いハンマー５が球発射レール６上に置かれた球９を打出すのであるが、発射開始距離Ｌが小さいと、ハンマー５が停止位置から球９に衝突するまでに移動する距離が短いので、プランジャ３６の加速度が小さく、球９に対するハンマー５の発射力が小さくなる。逆に、発射開始距離Ｌが大きいと、ハンマー５が停止位置から球９に衝突するまでに移動する距離が長いので、プランジャ３６の加速度が大きく、球９に対するハンマー５の発射力が大きくなる。
【００１２】
よって、図１において、調整操作体３３が調整操作収納部１５で軸心と平行な方向に移動規制されており、調整操作体３３とガイドレール４とが雌ねじと雄ねじとよりなるねじ嵌合していることから、止ねじ３５を弛緩した状態において、人が調整操作体３３を一方向に回転操作するとガイドレール４が長孔２８の範囲で装置ベース３に対し矢印Ｘ１の方向に前進し、人が調整操作体３３を他方向に回転操作するとガイドレール４が長孔２８の範囲で装置ベース３に対し矢印Ｘ２の方向に後退する。このように調整操作体３３の操作によりガイドレール４が前進又は後退すると、止輪３０と下部前側ダンパー３１及び下部後側ダンパー３２を介してマウントベース２が装置ベース３に対して前進又は後退し、マウントベース２に固定された電磁ソレノイド１を介してハンマー５が実線示位置から仮想線示位置へと前進又は仮想線示位置から実線示位置へと後退し、ハンマー５の発射力が一定となるように、発射開始距離Ｌを適切に調整することができる。この発射開始距離Ｌの調整によって、前記構成部品相互の固体誤差による発射開始距離Ｌのばらつきを解消することができる。発射開始距離Ｌの調整が完了したら、止ねじ３５をしっかりと締結し、ガイドレール４を装置ベース３に固定する。
【００１３】
要するに、調整操作体３３が操作されても、マウントベース２が装置ベース３に対して前進又は後退するだけで、電磁ソレノイド１の吸引距離（電磁ソレノイド１においてヨーク３９にプランジャ３６が吸引されて移動する距離）が不変であるので、電磁ソレノイド１の吸引力（電磁ソレノイド１において励磁コイルで作られた磁力でヨーク３９がプランジャ３６を吸引する力）が一定である。又、調整操作体３３が操作されても、マウントベース２が装置ベース３に対して前進又は後退するだけで、ハンマー５の後退を促すばね３７や下部前側ダンパー３１及び下部後側ダンパー３２の伸縮距離が不変である。このため、電磁ソレノイド１に加わる負荷を不変とする発射開始距離Ｌの調整により発射力を調整することができ、電磁ソレノイド１やばね３７及び下部前側ダンパー３１並びに下部後側ダンパー３２等の耐久性を向上することができる。
【００１４】
図３及び図４は第２実施形態であって、図３は遊技球発射装置の外観を示し、図４は遊技球発射装置における要部の正面を示す。図３及び図４に示すように、発射レール６は発射レール６より装置ベース３の下部に回り込む操作取付部４１を備え、操作取付部４１には調整操作体３３が回転可能に取付けられる。調整操作体３３より上方に突出した雄ねじ部４２が装置ベース３に形成されたねじ孔４３にねじ嵌合される。調整操作体３３を人が操作すると、装置ベース３に対し発射レール６を取付ける前側の止ねじ４４を基準として発射レール６の後側が球受止部７の側又は反対側に移動することにより、発射レール６の傾斜角度が調整できる。その角度調整後に上記基準以外の止ねじ４５を発射レール６を経由して装置ベース３に締結することにより、発射開始距離Ｌの調整が完了する。発射レール６の傾斜角度調整中は発射レール６を装置ベース３に取付ける上記基準以外の止ねじ４５が発射レール６に形成された切欠４６又は図外の長孔の内部を移動する。発射レール６の傾斜角度が図４に実線で示すように調整されると、発射レール６と球受止部７との間の上下寸法が大きくなり、発射レール６と球受止部７とで受止められる球９が図４に実線で示すようにハンマー５側に寄り、球９とハンマー５との間の発射開始距離Ｌが小さくなる。逆に、発射レール６の傾斜角度が図４に仮想線で示すように調整されると、発射レール６と球受止部７との間の上下寸法が小さくなり、発射レール６と球受止部７とで受止められる球９が図４に仮想線で示すように発射レール６の先端側に寄り、球９とハンマー５との間の発射開始距離Ｌが大きくなる。調整操作体３３及び操作取付部４１が調整機構を形成する。
【００１５】
図５及び図６は第３実施形態であって、図５は遊技球発射装置の外観を示し、図６は遊技球発射装置における要部の正面を示す。図３及び図４に示す遊技球発射装置が発射レール６の傾斜角度を変えて発射開始距離Ｌを調整したのに対し、図５及び図６に示す遊技球発射装置は球受止部７を前後移動することで発射距離を調整する。図５及び図６では球受止部７が装置ベース３より分割され、装置ベース３に設けられたガイド溝５１と球受止部７に設けたガイド突起５２との嵌合により、球受止部７が装置ベース３に対し横移動可能に取付けられる。装置ベース３は球受止部７の上部に延びる操作取付部５３を備え、操作取付部５３には調整操作体３３が回転可能取付けられる。調整操作体３３より電磁ソレノイド１の側に突出した雄ねじ部５４が球受止部７に形成されたねじ受部５５にねじ嵌合される。調整操作体３３を人が操作すると、装置ベース３に対し球受止部７がガイド溝５１とガイド突起５２との案内により前後方向に移動することにより、球受止部７と発射レール６との間の上下寸法が調整される。その上下寸法調整後に止ねじ５６を球受止部７より球受止部７に形成された長孔５７を経由して装置ベース３に締結することにより、発射開始距離Ｌの調整が完了する。球受止部７の後方移動が図６に実線で示すように調整されると、発射レール６と球受止部７との間の上下寸法が大きくなり、発射レール６と球受止部７とで受止められる球９が図６に実線で示すようにハンマー５側に寄り、球９とハンマー５との間の発射開始距離Ｌが小さくなる。逆に、球受止部７の前方移動が図６に仮想線で示すように調整されると、発射レール６と球受止部７との間の上下寸法が小さくなり、発射レール６と球受止部７とで受止められる球９が図６に仮想線で示すように発射レール６の先端側に寄り、球９とハンマー５との間の発射開始距離Ｌが大きくなる。調整操作体３３と操作取付部５３及びねじ受部５５が調整機構を形成する。
【００１６】
図７は第４実施形態の遊技球発射装置における要部の正面を示す。図５及び図６に示す遊技球発射装置が球受止部７を前後移動することで発射開始距離Ｌを調整したのに対し、図７に示す遊技球発射装置は球受止部７に装着した止ねじのような調整操作体３３を上下移動することで発射開始距離Ｌを調整する。図７では球受止部７が上下に貫通するねじ孔５９を備え、ねじ孔５９には調整操作体３３がねじ嵌合される。調整操作体３３を人が操作すると、調整操作体３３の先端が球受止部７の発射レール６側面より突出する距離が変化することにより、球受止部７と発射レール６との間の上下寸法が調整される。その上下寸法調整後に調整操作体３３を回転しないように保持した状態において調整操作体３３に装着されたナット６０を球受止部７の側に締結することにより、調整操作体３３が球受止部７に固定され、発射開始距離Ｌの調整が完了する。調整操作体３３の上方移動が実線で示すように調整されると、発射レール６と球受止部７との間の上下寸法が大きくなり、発射レール６と球受止部７とで受止められる球９が実線で示すようにハンマー５側に寄り、球９とハンマー５との間の発射開始距離Ｌが小さくなる。逆に、球受止部７の下方移動が仮想線で示すように調整されると、発射レール６と球受止部７との間の上下寸法が小さくなり、発射レール６と球受止部７とで受止められる球９が仮想線で示すように発射レール６の先端側に寄り、球９とハンマー５との間の発射開始距離Ｌが大きくなる。調整操作体３３及びねじ孔５９が調整機構を形成する。
【図面の簡単な説明】
【図１】  第１実施形態の遊技球発射装置を示す正面図。
【図２】  第１実施形態の遊技球発射装置を示す分解斜視図。
【図３】  第２実施形態の遊技球発射装置を示す斜視図。
【図４】  第２実施形態の遊技球発射装置を示す正面図。
【図５】  第３実施形態の遊技球発射装置を示す斜視図。
【図６】  第３実施形態の遊技球発射装置を示す正面図。
【図７】  第４実施形態の遊技球発射装置を示す正面図。
【図８】  従来例を示す模式図。
【符号の説明】
５  ハンマー、６  発射レール、７  球受止部、９  球、
１５  調整操作収納部、２９  雄ねじ部、３３  調整操作体、
４１  操作取付部、５３  操作取付部、５５  ねじ受部、
５９  ねじ孔。
【図１】
0004776096.tif 000002
【図２】
0004776096.tif 000003
【図３】
0004776096.tif 000004
【図４】
0004776096.tif 000005
【図５】
0004776096.tif 000006
【図６】
0004776096.tif 000007
【図７】
0004776096.tif 000008
【図８】
0004776096.tif 000009